(57)【特許請求の範囲】
【請求項１】
列車運行管理制御装置及び各種現場機器の異常情報と、鉄道の保守作業情報とを受信する受信手段と、
現場作業区域毎に決められた担当者が所有する通信端末のアドレス情報を記憶する記憶手段と、
前記受信手段により、前記各種現場機器の異常情報や保守作業情報が受信された際、当該受信情報に関連する作業区域の担当者が所有する通信端末のアドレス情報を、前記記憶手段から抽出し、前記列車運行管理制御装置の異常情報が受信された際、当該受信の際に各現場作業区域にいる担当者全員が所有する通信端末のアドレス情報を、前記記憶手段から抽出する抽出手段と、
前記受信手段により受信した前記各種現場機器の異常情報や保守作業情報を、前記抽出手段により抽出されたアドレス情報に対応する通信端末であって前記各種現場機器の異常情報や保守作業情報に関連する作業区域の担当者が所有する通信端末に送信し、前記受信手段により受信した前記列車運行管理制御装置の異常情報を、前記抽出手段により抽出されたアドレス情報に対応する通信端末であって前記列車運行管理制御装置の異常情報の受信の際に各現場作業区域にいる担当者全員が所有する通信端末に送信する送信手段と、
を備えることを特徴とする鉄道管理情報提供装置。
【請求項２】
前記受信手段により受信される保守作業情報は、保守作業に伴う線路閉鎖の設定、又は解除情報を含むことを特徴とする請求項１記載の鉄道管理情報提供装置。
【請求項３】
前記受信手段により受信される保守作業情報は、作業区域毎に決められた各担当者の保守作業計画情報を更に含むことを特徴とする請求項１又は２記載の鉄道管理情報提供装置。
【請求項４】
前記記憶手段は、前記受信手段による受信情報に基づいて、前記管理制御装置及び各種現場機器の状態と、前記保守作業情報とを更に記憶し、
前記受信手段は、前記担当者所有の通信端末から各種鉄道管理情報の通知要求を更に受信し、
前記抽出手段は、前記記憶手段に記憶された各種情報の中から、前記受信手段により受信した要求内容に対応する情報を更に抽出し、
前記送信手段は、前記抽出手段により抽出された情報を、前記通知要求をした通信端末に更に送信することを特徴とする請求項１から３の何れかに記載の鉄道管理情報提供装置。
【請求項５】
列車運行管理制御装置及び各種現場機器の異常情報と、鉄道の保守作業情報とを受信する受信工程と、
現場作業区域毎に決められた担当者が所有する通信端末のアドレス情報を記憶する記憶工程と、
前記受信工程により、前記各種現場機器の異常情報や保守作業情報が受信された際、当該受信情報に関連する作業区域の担当者が所有する通信端末のアドレス情報を、前記記憶工程から抽出し、前記列車運行管理制御装置の異常情報が受信された際、当該受信の際に各現場作業区域にいる担当者全員が所有する通信端末のアドレス情報を、前記記憶工程から抽出する抽出工程と、
前記受信工程により受信した前記各種現場機器の異常情報や保守作業情報を、前記抽出工程により抽出されたアドレス情報に対応する通信端末であって前記各種現場機器の異常情報や保守作業情報に関連する作業区域の担当者が所有する通信端末に送信し、前記受信工程により受信した前記列車運行管理制御装置の異常情報を、前記抽出工程により抽出されたアドレス情報に対応する通信端末であって前記列車運行管理制御装置の異常情報の受信の際に各現場作業区域にいる担当者全員が所有する通信端末に送信する送信工程と、
を含むことを特徴とする鉄道管理情報提供方法。
【請求項６】
前記受信工程により受信される保守作業情報は、保守作業に伴う線路閉鎖の設定、又は解除情報を含むことを特徴とする請求項５記載の鉄道管理情報提供方法。
【請求項７】
前記受信工程により受信される保守作業情報は、作業区域毎に決められた各担当者の保守作業計画情報を更に含むことを特徴とする請求項５又は６記載の鉄道管理情報提供方法。
【請求項８】
前記記憶工程は、前記受信工程による受信情報に基づいて、前記管理制御装置及び各種現場機器の状態と、前記保守作業情報とを更に記憶し、
前記受信工程は、前記担当者所有の通信端末から各種鉄道管理情報の通知要求を更に受信し、
前記抽出工程は、前記記憶工程に記憶された各種情報の中から、前記受信工程により受信した要求内容に対応する情報を更に抽出し、
前記送信工程は、前記抽出工程により抽出された情報を、前記通知要求をした通信端末に更に送信することを特徴とする請求項５から７の何れかに記載の鉄道管理情報提供方法。
【発明の詳細な説明】
【０００１】
【発明の属する技術分野】
本発明は、鉄道に関する管理情報を提供する鉄道管理情報提供装置、及びその提供方法に関する。
【０００２】
【従来の技術】
近時、多数の列車の効率よい運行のため、長大な路線全区間の列車の運行状況をリアルタイムで一括して制御するＣＴＣ（Centralized Traffic Control：列車集中制御）装置を用いた運行管理システムが、鉄道各社で利用されている。このシステムにより、全列車の運行状況が把握できるだけでなく、各駅（停車場）の信号機や転てつ機等の現場機器の動作状態を監視することができる。
【０００３】
【発明が解決しようとする課題】
しかしながら、上述した従来の運行管理システムでは、保守作業や、信号機等の現場機器の状態に関する情報などが、各現場にいる保守担当者にリアルタイムで通知されていなかったため、保守作業を円滑に行うことができない上に、現場機器の故障のような予期せぬ事態が発生した場合、これらの対応に遅れてしまうという問題があった。
【０００４】
本発明の課題は、鉄道の現場機器及び保守作業に関する情報をリアルタイムで各作業現場にいる保守担当者に通知することにより、鉄道現場作業の効率化を図ることである。
【０００５】
【課題を解決するための手段】
本発明は、このような課題を解決するために、次のような特徴を備えている。なお、次に示す手段の説明中、括弧書きにより実施の形態に対応する構成を例示する。符号等は、後述する図面参照符号等である。
【０００６】
請求項１記載の発明は、
列車運行管理制御装置（例えば、図１の運行管理システム３内の運行管理装置、ＣＴＣ中央装置）及び各種現場機器の異常情報と、鉄道の保守作業情報とを受信する受信手段（例えば、図２の伝送制御部１４）と、
現場作業区域毎に決められた担当者が所有する通信端末のアドレス情報を記憶する記憶手段（例えば、図２の記憶装置１６）と、
前記受信手段により、前記各種現場機器の異常情報や保守作業情報が受信された際、当該受信情報に関連する作業区域の担当者が所有する通信端末（例えば、図１の携帯電話２）のアドレス情報を、前記記憶手段から抽出し、前記列車運行管理制御装置の異常情報が受信された際、当該受信の際に各現場作業区域にいる担当者全員が所有する通信端末のアドレス情報を、前記記憶手段から抽出する抽出手段（例えば、図２のＣＰＵ１１）と、
前記受信手段により受信した前記各種現場機器の異常情報や保守作業情報を、前記抽出手段により抽出されたアドレス情報に対応する通信端末であって前記各種現場機器の異常情報や保守作業情報に関連する作業区域の担当者が所有する通信端末に送信し、前記受信手段により受信した前記列車運行管理制御装置の異常情報を、前記抽出手段により抽出されたアドレス情報に対応する通信端末であって前記列車運行管理制御装置の異常情報の受信の際に各現場作業区域にいる担当者全員が所有する通信端末に送信する送信手段（例えば、図２の伝送制御部１４）と、
を備えることを特徴としている。
【０００７】
この請求項１記載によれば、受信手段が、列車運行管理制御装置及び各種現場機器の異常情報と、鉄道の保守作業情報とを受信し、記憶手段が、現場作業区域毎に決められた担当者が所有する通信端末のアドレス情報を記憶し、抽出手段が、前記各種現場機器の異常情報や保守作業情報が受信された際、当該受信情報に関連する作業区域の担当者が所有する通信端末のアドレス情報を、前記記憶手段から抽出し、前記列車運行管理制御装置の異常情報が受信された際、当該受信の際に各現場作業区域にいる担当者全員が所有する通信端末のアドレス情報を、前記記憶手段から抽出し、送信手段が、前記受信手段により受信した前記各種現場機器の異常情報や保守作業情報を、前記抽出手段により抽出されたアドレス情報に対応する通信端末であって前記各種現場機器の異常情報や保守作業情報に関連する作業区域の担当者が所有する通信端末に送信し、前記受信手段により受信した前記列車運行管理制御装置の異常情報を、前記抽出手段により抽出されたアドレス情報に対応する通信端末であって前記列車運行管理制御装置の異常情報の受信の際に各現場作業区域にいる担当者全員が所有する通信端末に送信する。
【０００８】
請求項５記載の発明は、
列車運行管理制御装置及び各種現場機器の異常情報と、鉄道の保守作業情報とを受信する受信工程（例えば、図４のステップＳ１）と、
現場作業区域毎に決められた担当者が所有する通信端末のアドレス情報を記憶する記憶工程と、
前記受信工程により、前記各種現場機器の異常情報や保守作業情報が受信された際、当該受信情報に関連する作業区域の担当者が所有する通信端末のアドレス情報を、前記記憶工程から抽出し、前記列車運行管理制御装置の異常情報が受信された際、当該受信の際に各現場作業区域にいる担当者全員が所有する通信端末のアドレス情報を、前記記憶工程から抽出する抽出工程（例えば、図４のステップＳ３）と、
前記受信工程により受信した前記各種現場機器の異常情報や保守作業情報を、前記抽出工程により抽出されたアドレス情報に対応する通信端末であって前記各種現場機器の異常情報や保守作業情報に関連する作業区域の担当者が所有する通信端末に送信し、前記受信工程により受信した前記列車運行管理制御装置の異常情報を、前記抽出工程により抽出されたアドレス情報に対応する通信端末であって前記列車運行管理制御装置の異常情報の受信の際に各現場作業区域にいる担当者全員が所有する通信端末に送信する送信工程（例えば、図４のステップＳ４）と、
を含むことを特徴としている。
【０００９】
この請求項５記載の発明によれば、列車運行管理制御装置及び各種現場機器の異常情報と、鉄道の保守作業情報とを受信する受信工程と、現場作業区域毎に決められた担当者が所有する通信端末のアドレス情報を記憶する記憶工程と、前記受信工程により、前記各種現場機器の異常情報や保守作業情報が受信された際、当該受信情報に関連する作業区域の担当者が所有する通信端末のアドレス情報を、前記記憶工程から抽出し、前記列車運行管理制御装置の異常情報が受信された際、当該受信の際に各現場作業区域にいる担当者全員が所有する通信端末のアドレス情報を、前記記憶工程から抽出する抽出工程と、前記受信工程により受信した前記各種現場機器の異常情報や保守作業情報を、前記抽出工程により抽出されたアドレス情報に対応する通信端末であって前記各種現場機器の異常情報や保守作業情報に関連する作業区域の担当者が所有する通信端末に送信し、前記受信工程により受信した前記列車運行管理制御装置の異常情報を、前記抽出工程により抽出されたアドレス情報に対応する通信端末であって前記列車運行管理制御装置の異常情報の受信の際に各現場作業区域にいる担当者全員が所有する通信端末に送信する送信工程と、を含む。
【００１０】
したがって、請求項１あるいは５記載の発明によって、列車運行管理制御装置及び各種現場機器の異常情報と、鉄道の保守作業情報とを受信した際に、当該情報に関連する作業区域の現場担当者にこれらの情報を提供できることにより、現場担当者は、予期せぬ事態が発生した場合にも迅速に対応でき、現場作業効率が向上する。
【００１６】
請求項２記載の発明は、請求項１記載の鉄道管理情報提供装置において、
前記受信手段により受信される保守作業情報は、保守作業に伴う線路閉鎖の設定、又は解除情報を含むことを特徴としている。
【００１７】
この請求項２記載の発明によれば、前記受信手段により受信される保守作業情報は、保守作業に伴う線路閉鎖の設定、又は解除情報を含む。
【００１８】
請求項６記載の発明は、請求項５記載の鉄道管理情報提供方法において、
前記受信工程により受信される保守作業情報は、保守作業に伴う線路閉鎖の設定、又は解除情報を含むことを特徴としている。
【００１９】
この請求項６記載の発明によれば、前記受信工程により受信される保守作業情報は、保守作業に伴う線路閉鎖の設定、又は解除情報を含む。
【００２０】
したがって、請求項２あるいは６記載の発明によって、各現場作業担当者は、保守作業に伴う線路閉鎖の設定、又は解除情報を把握できる。
【００２１】
請求項３記載の発明は、請求項１又は２記載の鉄道管理情報提供装置において、
前記受信手段により受信される保守作業情報は、作業区域毎に決められた各担当者の保守作業計画情報を更に含むことを特徴としている。
【００２２】
この請求項３記載の発明によれば、前記受信手段により受信される保守作業情報は、作業区域毎に決められた各担当者の保守作業計画情報を更に含む。
【００２３】
請求項７記載の発明は、請求項５又は６記載の鉄道管理情報提供方法において、
前記受信工程により受信される保守作業情報は、作業区域毎に決められた各担当者の保守作業計画情報を更に含むことを特徴としている。
【００２４】
この請求項７記載の発明によれば、前記受信工程により受信される保守作業情報は、作業区域毎に決められた各担当者の保守作業計画情報を更に含む。
【００２５】
したがって、請求項３あるいは７記載の発明によって、各現場作業担当者は、保守作業計画を確認できる。
【００２６】
請求項４記載の発明は、請求項１から３の何れかに記載の鉄道管理情報提供装置において、
前記記憶手段は、前記受信手段による受信情報に基づいて、前記管理制御装置及び各種現場機器の状態と、前記保守作業情報とを更に記憶し、
前記受信手段は、前記担当者所有の通信端末から各種鉄道管理情報の通知要求を更に受信し、
前記抽出手段は、前記記憶手段に記憶された各種情報の中から、前記受信手段により受信した要求内容に対応する情報を更に抽出し、
前記送信手段は、前記抽出手段により抽出された情報を、前記通知要求をした通信端末に更に送信することを特徴としている。
【００２７】
この請求項４記載の発明によれば、前記記憶手段は、前記受信手段による受信情報に基づいて、前記管理制御装置及び各種現場機器の状態と、前記保守作業情報とを更に記憶し、前記受信手段は、前記担当者所有の通信端末から各種鉄道管理情報の通知要求を更に受信し、前記抽出手段は、前記記憶手段に記憶された各種情報の中から、前記受信手段により受信した要求内容に対応する情報を更に抽出し、前記送信手段は、前記抽出手段により抽出された情報を、前記通知要求をした通信端末に更に送信する。
【００２８】
請求項８記載の発明は、請求項５から７の何れかに記載の鉄道管理情報提供方法において、
前記記憶工程は、前記受信工程による受信情報に基づいて、前記管理制御装置及び各種現場機器の状態と、前記保守作業情報とを更に記憶し、
前記受信工程（例えば、図５のステップＳ１１）は、前記担当者所有の通信端末から各種鉄道管理情報の通知要求を更に受信し、
前記抽出工程（例えば、図５のステップＳ１２）は、前記記憶工程に記憶された各種情報の中から、前記受信工程により受信した要求内容に対応する情報を更に抽出し、
前記送信工程（例えば、図５のステップＳ１３）は、前記抽出工程により抽出された情報を、前記通知要求をした通信端末に更に送信することを特徴としている。
【００２９】
この請求項８記載の発明によれば、前記記憶工程は、前記受信工程による受信情報に基づいて、前記管理制御装置及び各種現場機器の状態と、前記保守作業情報とを更に記憶し、前記受信工程は、前記担当者所有の通信端末から各種鉄道管理情報の通知要求を更に受信し、前記抽出工程は、前記記憶工程に記憶された各種情報の中から、前記受信工程により受信した要求内容に対応する情報を更に抽出し、前記送信工程は、前記抽出工程により抽出された情報を、前記通知要求をした通信端末に更に送信する。
【００３０】
したがって、請求項４あるいは８記載の発明によって、各現場作業担当者は、所望の鉄道管理情報を好きなときに知ることができる。
【００３１】
【発明の実施の形態】
以下、図１〜図５を参照して本発明の実施の形態を詳細に説明する。
まず、構成を説明する。
【００３２】
図１は、携帯電話２を所有する保守担当者に、鉄道に関する管理情報を提供する鉄道管理情報提供システム１００のシステム構成を示す図である。
この図１において、鉄道管理情報提供システム１００は、情報配信サーバ１、携帯電話２、運行管理システム３、集中監視装置４、保守作業管理システム５により構成されている。
【００３３】
情報配信サーバ１は、鉄道会社が保有するサーバで、インターネットＮにより、無線基地局（図示せず）を介して携帯電話２に接続されるとともに、ＬＡＮ等のネットワークを介して、運行管理システム３、集中監視装置４、保守作業管理システム５に接続されている。
【００３４】
携帯電話２は、上記鉄道会社の保守担当者が所有する携帯電話であり、情報配信サーバ１が提供する鉄道管理情報提供サイト等へのアクセス機能（例えば、Ｗｅｂブラウザ）、及びメールの送受信機能等を備えている。また、この携帯電話２は、情報配信サーバ１から鉄道管理情報を自動受信する端末として、情報配信サーバ１に登録されており、例えば、信号機器、ＣＴＣ中央装置、運行管理装置等における故障発生時や、保守作業に伴う線路閉鎖の設定・解除時に、これらの故障情報や、線路閉鎖情報等を、情報配信サーバ１からリアルタイムでメール受信する。また、上記保守担当者のキー操作によって、各種信号機器の状態や、保守作業関係の情報、線路閉鎖の状態等の通知要求があると、これらの通知要求メールを、情報配信サーバ１に送信する。
【００３５】
運行管理システム３は、中央制御所と各駅から構成され、中央制御所と各駅はＣＴＣ回線で接続されている。中央制御所は、運行管理装置、ＣＴＣ中央装置を備え、各駅は、ＣＴＣ駅装置、連動装置等を備える。
【００３６】
ＣＴＣ中央装置は、管轄区間内の列車の運行状況をリアルタイムで一括して制御する。運行管理装置は、ＣＴＣ中央装置に接続され、列車の運行状況を表示する列車運行状況表示装置（Train Information Display）の情報（ＴＩＤ情報）として、列車番号や列車位置等を示す列車位置情報、及び列車の遅れ時分等を示す遅延情報等を管理している。これらＣＴＣ中央装置、及び運行管理装置は、各々の装置で故障が生じると、その故障情報を情報配信サーバ１に送信する。
【００３７】
各駅に設置されているＣＴＣ駅装置は、中央制御所から、自駅の信号機や転てつ機等を制御するための符号電流を受信すると、その符号電流を解読して連動装置に伝達する。また、ＣＴＣ駅装置は、連動装置から入力された信号機の現示状態、列車の在線状況、線路閉鎖などの情報を符号化し、中央制御所内のＣＴＣ中央装置に伝送する。さらに、ＣＴＣ駅装置は、保守作業の際に、連動装置から受信した線路閉鎖情報を情報配信サーバ１に送信する。
【００３８】
連動装置は、ＣＴＣ駅装置で解読された電流に応じて、転てつ機を転換して進路を構成したり、信号機と転てつ機、及び信号機相互間に所定の連鎖等を行う。また、連動装置は、信号機の現示状態、列車の在線状況、レール交換や信号機器交換等の保守作業に伴う線路閉鎖等の情報をＣＴＣ駅装置に出力する。
【００３９】
集中監視装置４は、各種信号機器の動作状況を監視し、信号機器に故障が発生した際、信号機器故障情報を情報配信サーバ１に送信する。
【００４０】
保守作業管理システム５は、保守作業が実施される作業個所、作業予定日時、作業目的、及び作業情報登録者（例えば、保守担当者名）等の保守作業計画データを管理しており、この保守作業計画データを情報配信サーバ１に提供する。
【００４１】
なお、図１の鉄道管理情報提供システム１００において、情報配信サーバ１は、運行管理システム３、集中監視装置４、及び保守作業管理システム５から管理情報が提供されることにしたが、この情報を提供するシステム及び装置の数は特に限定されず、例えば、１つの管理システムにより上述の管理システム及び装置３、４、５で管理されている全ての情報を管理し、その情報を情報配信サーバ１に対して提供することにしてもよい。
【００４２】
また、インターネットＮは、電話回線網、ＩＳＤＮ回線網、専用線、移動体通信網、通信衛星回線、ＣＡＴＶ回線網等の各種通信回線網と、それらを接続するインターネットサービスプロバイダや無線基地局等を含む。さらに、インターネットＮに無線基地局を介して接続される携帯電話の台数は特に限定されない。
【００４３】
次に、図１に示した鉄道管理情報提供システム１００を構成する情報配信サーバ１の各制御機能の概要について、図２を参照して説明する。
【００４４】
図２は、情報配信サーバ１の内部構成を示すブロック図である。
図２において、情報配信サーバ１は、ＣＰＵ１１、表示部１２、入力部１３、伝送制御部１４、ＲＡＭ１５、記憶装置１６、及び記録媒体１７によって構成されており、記録媒体１７を除く各部はバス１８によって接続されている。
【００４５】
ＣＰＵ（Central Processing Unit）１１は、記憶装置１６の記録媒体１７内に記憶されているシステムプログラム及び情報配信サーバ１に対応する各種アプリケーションプログラムの中から指定されたアプリケーションプログラムをＲＡＭ１５内に展開し、入力部１３から入力される各種指示あるいはそれに応じた各種データをＲＡＭ１５内に一時的に格納し、この入力指示及び入力データに応じて記憶装置１６内に格納されたアプリケーションプログラムに従って各種処理を実行し、その処理結果をＲＡＭ１５内に格納するとともに、表示部１２に表示する。そして、ＲＡＭ１５内に一時格納した処理結果を入力部１３から入力指示される記憶装置１６内の記録媒体１７の保存先に保存する。
【００４６】
例えば、ＣＰＵ１１は、運行管理装置、及びＣＴＣ中央装置に故障が発生した際に、運行管理システム３からこれらの故障情報をリアルタイムで受信すると、直ちに各現場にいる保守担当者全員の携帯電話に、該故障情報をＥメールで送信する。また、ＣＰＵ１１は、記憶装置に１６に格納された保守作業計画テーブル（図３（ｂ））を参照して、各現場にいる保守担当者の携帯電話に、保守作業の開始時刻、及び終了時刻情報をＥメールで通知する。
【００４７】
さらに、ＣＰＵ１１は、保守作業に伴う線路閉鎖設定・解除時や、各種信号機器の故障発生時、これらの情報を、それぞれ、運行管理システム３、集中監視装置４からリアルタイムで受信し、後述する鉄道管理情報通知処理Ａを実行する（図４参照）。また、ＣＰＵ１１は、携帯電話２から、信号機器状態、保守作業関係情報、線路閉鎖状態等の通知要求メールを受信すると、後述する鉄道管理情報通知処理Ｂを実行する（図５参照）。
【００４８】
表示部１２は、液晶表示装置、ＣＲＴ（Cathode Ray Tube）表示装置等により構成され、ＣＰＵ１１から入力される表示データを表示する。
【００４９】
入力部１３は、カーソルキー、数字入力キー及び各種機能キー等を備えたキーボードと、ポインティングデバイスであるマウスとを備え、キーボードで押下された押下信号をＣＰＵ１１に出力するとともに、マウスによる操作信号をＣＰＵ１１に出力する。
【００５０】
伝送制御部１４は、モデム（ＭＯＤＥＭ：MOdulator/DEModulator）、ターミナルアダプタ（ＴＡ：Terminal Adapter）、又はルータ等によって構成され、インターネットＮを介して接続された携帯電話２、或いはＬＡＮ等のネットワークを介して接続された運行管理システム３、集中監視装置４、及び保守作業管理システム５のそれぞれとの通信を行うための通信制御を行う。
【００５１】
ＲＡＭ（Random Access Memory）１５は、ＣＰＵ１１により実行される上記処理プログラムや各種アプリケーションプログラムを、ＲＡＭ１５内の図示しないプログラム格納領域に展開するとともに、入力指示、入力データ、及び上記処理プログラムが実行される際に生じる処理結果等を、図示しないワークメモリエリアに一時的に格納する。
【００５２】
記憶装置１６は、プログラムやデータ等が予め記憶された記録媒体１７を有しており、記録媒体１７は磁気的、光学的記録媒体、若しくは半導体等の不揮発性メモリで構成されている。この記録媒体１７は記憶装置１６に固定的に設けたもの、若しくは着脱自在に装着するものであり、この記録媒体１７には、情報配信サーバ１のシステムプログラム、鉄道管理情報通知処理プログラム、及びこれらのプログラムで処理されたデータ等を記憶する。
【００５３】
また、記録媒体１７に記憶されたプログラム、データ等は、その一部若しくは全部をサーバやクライアント等の外部機器から、ネットワーク回線等の伝送媒体を介して伝送制御部１４から受信して記憶する構成にしてもよく、また、記録媒体１７はネットワーク上に構築されたサーバの記録媒体であってもよい。更に、上記プログラムをネットワーク回線等の伝送媒体を介してサーバやクライアントへ伝送してこれらの機器にインストールするように構成してもよい。
【００５４】
また、記憶装置１６は、運行管理システム３から受信したＴＩＤ情報、運行管理装置やＣＴＣ中央装置の故障情報、及び線路閉鎖情報、集中監視装置４から受信した信号機器故障情報等を記憶している。
【００５５】
さらに、この記憶装置１６は、図３（ａ）に示すように、作業員テーブルを記憶する。この作業員テーブルは、作業員名、Ｅメールアドレス、ＩＤ、作業区域・個所の各項目から構成され、作業員名としては、保守作業等の現場監督を行う作業員（保守担当者）の名前、Ｅメールアドレスとしては、各作業員が所有する携帯電話に設定されたＥメールアドレス、ＩＤとしては、各作業員の社員番号、作業区域・個所としては、各作業員が保守作業を実施する作業個所が記憶されている。
【００５６】
また、記憶装置１６は、保守作業管理システム５から受信した保守作業計画データに基づいて、図３（ｂ）に示すように、保守作業計画テーブルを記憶する。この保守作業計画テーブルは、作業番号、作業個所、作業予定時間、作業員名の各項目から構成され、作業予定時間としては、保守作業年月日、作業開始時刻、及び終了時刻が記憶されている。
【００５７】
さらに、この記憶装置１６は、各保守担当者が所有する携帯電話に、各種信号機器状態、保守作業関係情報、線路閉鎖状態、ＣＴＣ中央装置故障情報等を通知する際に使用する定型文を記憶する。
【００５８】
次に、本実施の形態の動作を説明する。
後述する各フローチャートに記述されている各機能を実現するためのプログラムは、読み取り可能なプログラムコードの形態で情報配信サーバ１の記録媒体１７に格納されており、情報配信サーバ１のＣＰＵ１１は該プログラムコードに従った動作を逐次実行する。また、ＣＰＵ１１は伝送媒体を介して伝送される上記プログラムコードに従った動作を逐次実行することもできる。すなわち、記録媒体の他、伝送媒体を介して外部供給されたプログラム／データを利用して本実施の形態特有の動作を実行することもできる。
【００５９】
まず、ＣＰＵ１１によって実行される鉄道管理情報通知処理Ａについて、図４のフローチャートに基づいて説明する。
【００６０】
ＣＰＵ１１は、運行管理システム３、集中管理装置４から、それぞれ、保守作業に伴う線路閉鎖設定・解除情報、信号機器故障情報等の管理情報が受信されたか否かを常時確認しており（ステップＳ１）、該管理情報が受信されると（ステップＳ１；ＹＥＳ）、記憶装置１６に格納された作業員テーブル（図３（ａ））中の「作業区域・個所」項目に記憶されたデータから、受信された管理情報に対応、又は関係する作業区域・地域を検索し（ステップＳ２）、「作業員名」項目に記憶されたデータから、当該作業区域・個所で現場作業に従事している保守担当者名を抽出する（ステップＳ３）。
【００６１】
次いで、ＣＰＵ１１は、上記作業員テーブル中の「Ｅメールアドレス」項目に記憶されたデータから、ステップＳ３で抽出された保守担当者が所有する携帯電話２に設定されたＥメールアドレスを抽出する。そして、ＣＰＵ１１は、上記管理情報通知に使用する定型文データを記憶装置１６から読み出し、ステップＳ１で受信された管理情報データを、対応する定型文データとともに、携帯電話２に送信し（ステップＳ４）、本鉄道管理情報通知処理Ａを終了する。
【００６２】
例えば、集中監視装置４から、軽井沢駅での信号機器の故障情報を受信すると、ＣＰＵ１１は、図３（ａ）に示した、記憶装置１６に格納された作業員テーブル中の「作業区域・個所」項目に記憶されたデータから、軽井沢を含む作業区域データを検索し、該作業区域データとして「軽井沢〜小諸」を抽出する。
【００６３】
次いで、ＣＰＵ１１は、上記作業員テーブルから、「軽井沢〜小諸」で現場作業に従事している作業員（保守担当者）名である「京三太郎」を抽出し、作業員テーブル中の「Ｅメールアドレス」項目に記憶されたデータから、保守担当者「京三太郎」が所有する携帯電話２に設定されたＥメールアドレス「kyosan-taro@xxx.yy.ne.jp」を抽出する。
【００６４】
次いで、ＣＰＵ１１は、信号機器の故障情報通知に使用する定型文データを記憶装置１６から読み出し、上記故障情報データを、対応する定型文データとともに、「京三太郎」の携帯電話２に設定されたＥメールアドレス「kyosan-taro@xxx.yy.ne.jp」宛てに送信する。
【００６５】
運行管理装置、及びＣＴＣ中央装置に故障が発生した際は、ＣＰＵ１１は、運行管理システム３からこれらの故障情報をリアルタイムで受信すると、緊急事態として、直ちに各現場にいる保守担当者全員の携帯電話に、該故障情報データを送信する。
【００６６】
次に、ＣＰＵ１１によって実行される鉄道管理情報通知処理Ｂについて、図５のフローチャートに基づいて説明する。
【００６７】
ＣＰＵ１１は、各現場で作業に従事している保守担当者の携帯電話２から、信号機器状態、保守作業関係情報、線路閉鎖状態等の管理情報の通知要求メールが受信されたか否かを常時確認しており（ステップＳ１１）、携帯電話２から該管理情報の通知要求メールを受信すると（ステップＳ１１；ＹＥＳ）、記憶装置１６に格納された管理情報の検索を開始し、該通知要求に対応する管理情報データを抽出する（ステップＳ１２）。次いで、ＣＰＵ１１は、抽出された管理情報データを、通知要求を指示した携帯電話２に対して送信し（ステップＳ１３）、本鉄道管理情報通知処理Ｂを終了する。
【００６８】
例えば、ＣＰＵ１１は、携帯電話２から、保守作業関係情報の通知要求メールを受信すると、記憶装置１６に格納された管理情報の中から、図３（ｂ）に示した保守作業計画テーブルを抽出する。そして、ＣＰＵ１１は、「作業予定時間」項目に記憶されたデータから、現在時刻に対応するデータを抽出し、「作業個所」項目に記憶されたデータから、現在、保守作業が実施されている作業個所（例えば、田中）を抽出し、これらの保守作業データを、通知要求を指示した携帯電話２に対して送信する。
【００６９】
以上のように、本実施の形態における鉄道管理情報提供システム１００によれば、情報配信サーバ１は、運行管理システム３、集中監視装置４から受信したリアルタイムな各種管理情報（運行管理装置・ＣＴＣ中央装置故障情報、線路閉鎖情報、信号機器故障情報等）を、各作業現場にいる保守担当者所有の携帯電話２に対してリアルタイムに送信することにより、携帯電話２を所有する各現場の保守担当者は、該管理情報をリアルタイムで確認できるとともに、信号機器故障等の予期せぬ事態が発生した場合にも迅速に対応でき、現場作業効率が向上する。
【００７０】
また、情報配信サーバ１は、鉄道管理情報の自動通知登録がなされた携帯電話２から、信号機器状態、保守作業関係情報、線路閉鎖状態等の管理情報通知要求メールを受信すると、要求された管理情報を直ちに携帯電話２に送信することにより、携帯電話２を所有する各現場の保守担当者は、所望の鉄道管理情報を好きなときに知ることができる。
【００７１】
なお、本実施の形態における記述内容は、本発明の趣旨を逸脱しない範囲で適宜変更可能である。例えば、本実施の形態においては、各現場にいる保守担当者と情報配信サーバ１との通信手段として携帯電話２を用いたが、ＰＤＡ（Personal Digital Assistants）等の携帯情報端末であってもよい。
【００７２】
【発明の効果】
請求項１記載の発明の鉄道管理情報提供装置、及び請求項５記載の発明の鉄道管理情報提供方法によれば、列車運行管理制御装置及び各種現場機器の異常情報と、鉄道の保守作業情報とを受信した際に、当該情報に関連する作業区域の現場担当者にこれらの情報を提供できることにより、現場担当者は、予期せぬ事態が発生した場合にも迅速に対応でき、現場作業効率が向上する。
【００７４】
請求項２記載の発明の鉄道管理情報提供装置、及び請求項６記載の発明の鉄道管理情報提供方法によれば、各現場作業担当者は、保守作業に伴う線路閉鎖の設定、又は解除情報を把握できる。
【００７５】
請求項３記載の発明の鉄道管理情報提供装置、及び請求項７記載の発明の鉄道管理情報提供方法によれば、各現場作業担当者は、保守作業計画を確認できる。
【００７６】
請求項４記載の発明の鉄道管理情報提供装置、及び請求項８記載の発明の鉄道管理情報提供方法によれば、各現場作業担当者は、所望の鉄道管理情報を好きなときに知ることができる。
【図面の簡単な説明】
【図１】本発明を適用した鉄道管理情報提供システム１００のシステム構成を示す図である。
【図２】図１の情報配信サーバ１の内部構成を示すブロック図である。
【図３】図２の記憶装置１６に格納されている作業員テーブル（同図（ａ））と、保守作業計画テーブル（同図（ｂ））の例を示す図である。
【図４】情報配信サーバ１において実行される鉄道管理情報通知処理Ａを示すフローチャートである。
【図５】情報配信サーバ１において実行される鉄道管理情報通知処理Ｂを示すフローチャートである。
【符号の説明】
１    情報配信サーバ
１１  ＣＰＵ
１２  表示部
１３  入力部
１４  伝送制御部
１５  ＲＡＭ
１６  記憶装置
１７  記録媒体
１８  バス
２    携帯電話
３    運行管理システム
４    集中監視装置
５    保守作業管理システム
１００  鉄道管理情報提供システム
Ｎ    インターネット
【図１】
0004806131.tif 000002
【図２】
0004806131.tif 000003
【図３】
0004806131.tif 000004
【図４】
0004806131.tif 000005
【図５】
0004806131.tif 000006